(57)【要約】【課題】サンダル等の踵を露出する履物を履いたときに踵の下にズボンの裾が入り込み折れることを防ぐズボン裾折れ防止具を提供する。【解決手段】ズボンの裾の内側後部に当接される薄板状の幅細の支持体と当該支持体を保持できるように形成された接着テープからなるズボン裾折れ防止具であって、前記接着テープは上部に挿入口を形成し、前記支持体を保持できる部位に熱溶着剤等の接着手段を塗布したことを特徴とするズボン裾折れ防止具。【選択図】図１
2007119996.tif 000002
【特許請求の範囲】
【請求項１】
サンダル等の踵を露出する履物を履いたときに、踵の下にズボンの裾が入り込み折れることを防止するための、ズボンの裾の内側後部に当接される薄板状で幅細の支持体と、当該支持体を保持できるように形成された接着テープとからなる裾折れ防止具であって、前記接着テープは前記支持体を保持できる部位に熱溶着等の接着手段を塗布したことを特徴とするズボン裾折れ防止具。
【請求項２】
サンダル等の踵を露出する履物を履いたときに、踵の下にズボンの裾が入り込み折れることを防止するための、ズボンの裾の内側後部に当接される薄板状で幅細の支持体と、当該支持体を保持できるように形成された接着テープとからなるズボン裾折れ防止具であって、前記接着テープは前記支持体の挿入口を形成し、前記支持体を保持できる部位に熱溶着剤等の接着手段を塗布したことを特徴とするズボン裾折れ防止具。
【請求項３】
サンダル等の踵を露出する履物を履いたときに、踵の下にズボンの裾が入り込み折れることを防止するための、ズボンの裾の内側後部に当接される薄板状で細幅の支持体と、当該支持体を保持できるように形成された接着テープを備えたことを特徴とする裾折れ防止具を備えたズボン。
【請求項４】
サンダル等の踵を露出する履物を履いたときに、踵の下にズボンの裾が入り込み折れることを防止するための、ズボンの裾の内側後部に当接される薄板状で細幅の支持体と、当該支持体を保持できるように形成された接着テープを備え、当該テープは前記支持体の挿入口を形成してあることを特徴とする裾折れ防止具を備えたズボン。
【発明の詳細な説明】
【技術分野】
【０００１】  本発明は、サンダル等の踵を露出する履物を履いたときに踵の下にズボンの裾が入り込み折れることを防ぐズボン裾折れ防止具に関するものである。
【背景技術】
【０００２】  従来、サンダル等の踵を露出する履物を履いた時、ズボンの裾がサンダル等と踵の間に入り込み折れることが発生していた。
そのため、歩行の安全を損なうと共にズボンの裾が折れて美観を損ない、生地にもダメージを与えていた。
【発明の開示】
【発明が解決しようとする課題】
【０００３】  そのため、次のような問題点があった。
（イ）歩行中にズボンの裾がサンダル等と踵の間に入り、ズボンの裾に数本の折れ線が付いてしまっていた。
（ロ）ズボンの裾がサンダル等と踵の間に入り込むことによって、歩行の安全が損なわれることがあった。
（ハ）ズボンの裾がサンダル等と踵の間に入り込むことによって、見栄えが悪くなっていた。
本発明は、以上の問題点を解決するためになされたものである。
【課題を解決するための手段】
【０００４】  サンダル等の踵を露出する履物を履いたときに、踵の下にズボンの裾が入り込み折れることを防止するための、ズボンの裾の内側後部に当接される薄板状で幅細の支持体と、当該支持体を保持できるように形成された接着テープとからなるズボン裾折れ防止具である。前記接着テープは上部に挿入口を形成し、前記支持体を保持できる部位に熱溶着剤等の接着手段を塗布する。以上を特徴とするズボン裾折れ防止具である。
【発明の効果】
【０００５】  サンダル等の踵を露出する履物を履いた時にズボンの裾部分がサンダル等と踵と間に入り込むことを防ぐことができる。
また、歩行の安全性も向上し、美観も損ねない。
さらに支持体を取り外し可能なものにすることでクリーニングも可能なため、繰り返し使用することができる。
【発明を実施するための最良の形態】
【０００６】  以下、本発明の実施の形態について説明する。
（イ）縦と横の長さが６ｃｍ×２ｃｍのポリエステル性の接着テープ（１）の周縁に約２〜３ミリ幅の熱溶着剤（２）を塗布する。
（ロ）薄板状で縦と横の長さが５ｃｍ×１ｃｍの軟性プラスチック性の支持体（３）を具備する。
本発明は、以上のような構造でこれを使用するときは、接着テープ（１）の中に支持体（３）を納めた状態でズボンの裾の内側後部に縦向きに当て、アイロンにて熱溶着する。
【実施例１】  以下、本発明の実施例１の形態について説明する。
（イ）縦と横の長さが６ｃｍ×２ｃｍのポリエステル製の接着テープ（１Ａ）の片側短辺以外の３辺に約２〜３ミリ幅の熱溶着剤（２Ａ）を塗布する。
（ロ）薄板状で縦と横の長さが８ｃｍ×１ｃｍの軟性プラスチック性の支持体（３Ａ）を具備する。
本発明は、以上のような構造でこれを使用するときは、接着テープ（１Ａ）の挿入口（５Ａ）を上にした状態でズボンの裾の内側後部に縦向きに当て、アイロンにて熱溶着する。挿入口（５Ａ）に支持体（３Ａ）を挿入する。
【実施例２】  以下、本発明の実施例２の形態について説明する。
（イ）縦と横の長さが６ｃｍ×２ｃｍのポリエステル性の接着テープ（１Ｂ）の周縁に約２〜３ミリ幅の熱溶着剤（２Ｂ）を塗布する。
（ロ）薄板状で縦と横の長さが５ｃｍ×１ｃｍの軟性プラスチック性の支持体（３Ｂ）を接着テープ（１Ｂ）の中に支持体（３Ｂ）を納めた状態でズボン（４Ｂ）の裾の内側後部に縦向きに当て、アイロンにて熱溶着する。
【実施例３】  以下、本発明の実施例３の形態について説明する。
（イ）縦と横の長さが６ｃｍ×２ｃｍのポリエステル製の接着テープ（１Ｃ）の片側短辺以外の３辺に約２〜３ミリ幅の熱溶着剤（２Ｃ）を塗布する。
（ロ）薄板状で縦と横の長さが８ｃｍ×１ｃｍの軟性プラスチック性の支持体（３Ｃ）を接着テープ（１Ｃ）の挿入口（５Ｃ）を上にした状態でズボンの裾の内側後部に縦向きに当て、アイロンにて熱溶着する。挿入口（５Ｃ）に支持体（３Ｃ）を挿入する。【０００８】  なお、接着テープ（１）、支持体（３）の寸法はひとつの具体例であり、ズボンの素材、デザインによって変わるものであり、上記の寸法に限定されるものではない。
【図面の簡単な説明】
【０００８】
【図１】  本発明の接着テープを示す図
【図２】  本発明の支持体を示す図
【図３】  本発明の装着状態を示す図
【図４】  本発明のズボン着用時の状態を示す図
【図５】  本発明の［実施例１］の接着テープを示す図
【図６】  本発明の［実施例１］の支持体を示す図
【図７】  本発明の［実施例１］の装着状態を示す図
【図８】  本発明の［実施例１］のズボン着用時の状態を示す図
【図９】  本発明の［実施例２］のズボン着用時の状態を示す図
【図１０】  本発明の［実施例３］のズボン着用時の状態を示す図
【符号の説明】
【０００９】  １，１Ａ，１Ｂ，１Ｃ    接着テープ
２，２Ａ，２Ｂ，２Ｃ    熱溶着部
３，３Ａ，３Ｂ，３Ｃ    支持体
４，４Ａ，４Ｂ，４Ｃ    ズボン
５，５Ａ                挿入口
【図１】
2007119996.tif 000003
【図２】
2007119996.tif 000004
【図３】
2007119996.tif 000005
【図４】
2007119996.tif 000006
【図５】
2007119996.tif 000007
【図６】
2007119996.tif 000008
【図７】
2007119996.tif 000009
【図８】
2007119996.tif 000010
【図９】
2007119996.tif 000011
【図１０】
2007119996.tif 000012